(57)【要約】【課題】空気調和機の熱交換器等を構成する配管の内、Ｕ字配管だけでなく、三分岐配管にも取り付け可能な、配管温度センサー取り付け部品を提供すること。【解決手段】配管温度センサー３を挟みながら固定する、断面が略Ｕ字型の配管温度センサー取り付け部品９において、片側面１０に配管温度センサー挿入部１１と、反対側面１２の略中央に、三分岐配管８の真中の1足７用の開口部１３を設けることによって、三分岐配管の真中の管７と干渉せずに配管温度センサー３を取り付けることができる。【選択図】図３
2006200832.tif 000002
【特許請求の範囲】
【請求項１】
空気調和機の熱交換器等を構成する配管の内、Ｕ字配管の側面に配管温度センサーを挟んで固定する、断面が略Ｕ字型の配管温度センサー取り付け部品において、片側面に配管温度センサー挿入部と、反対側面の略中央に、三分岐配管の真中の管が挿通する開口部を設けたことを特徴した、三分岐配管用の配管温度センサー取り付け部品。
【請求項２】
片側面と反対側面には、外開きに湾曲した爪を設けたことを特徴とした、請求項1に記載の三分岐配管用の配管温度センサー取り付け部品。
【請求項３】
配管温度センサー挿入部の終端に、配管温度センサー脱落防止用の爪を設けたことを特徴とした、請求項1〜２のいずれかに記載の三分岐配管用の配管温度センサー取り付け部品。
【請求項４】
反対側面の開口部の内側に、配管温度センサー取り付け部品の脱落防止用の爪を設けたことを特徴とした、請求項1〜３のいずれかに記載の三分岐配管用の配管温度センサー取り付け部品。
【請求項５】
配管温度センサー取り付け部品は、弾性のある薄金属板で形成したことを特徴とした、請求項1〜４のいずれかに記載の三分岐配管用の配管温度センサー取り付け部品。
【請求項６】
配管温度センサー取り付け部品は、樹脂で形成したことを特徴とした、請求項1〜４のいずれかに記載の三分岐配管用の配管温度センサー取り付け部品。
【発明の詳細な説明】
【技術分野】
【０００１】
本発明は、配管温度センサー取り付け部品に関し、特に空気調和機の熱交換器等を構成する配管の内、三分岐配管に配管温度センサーを取り付ける、三分岐配管用の配管温度センサー取り付け部品に関するものである。
【背景技術】
【０００２】
従来、この種の配管温度センサー取り付け部品は、空気調和機の熱交換器等を構成する配管の内、Ｕ字配管の側面に配管温度センサーを挟みながら固定する、断面が略Ｕ字型の配管温度センサー取り付け部品があった（例えば、特許文献１参照）。
【０００３】
図１１は、特許文献１に記載された、従来のＵ字配管用の配管温度センサー取り付け部品の斜視図、図１２は、配管温度センサー取り付け部品と配管温度センサーの位置関係を示す斜視図、図１３は、空気調和機の熱交換器等を構成する配管の内、Ｕ字配管の斜視図、図１４は、配管温度センサー取り付け部品と配管温度センサーとＵ字配管との位置関係を示す斜視図、図１５は、空気調和機の熱交換器等を構成する配管の内、三分岐配管の斜視図、図１６は、配管温度センサー取り付け部品と配管温度センサーと三分岐配管用との位置関係を示す斜視図である。
【０００４】
図１１、図１２のように、従来のＵ字配管用の配管温度センサー取り付け部品１は、片側面２に配管温度センサー３の挿入部４と、反対側面５を備えた、断面が略Ｕ字型の構造としており、図１３のようなＵ字配管６に、図１４のようにＵ字配管６の側面に配管温度センサー３を挟みながら固定する。
【特許文献１】特開平１１−３７６１８号公報
【発明の開示】
【発明が解決しようとする課題】
【０００５】
しかしながら、前記従来の構成では、図１５のような、Ｕ字配管６の真中にもう1足７が増えた三分岐配管８の場合、配管温度センサー３を固定するには、三分岐配管８の真中の1足７が、図１６のように邪魔になり、取り付けることができないという課題を有していた。
【０００６】
本発明は、前記従来の課題を解決するもので、三分岐配管の真中の1足用に開口部を設け、三分岐配管でも配管温度センサーを挟みながら固定することができる、三分岐配管用の配管温度センサー取り付け部品を提供することを目的とする。
【課題を解決するための手段】
【０００７】
前記従来の課題を解決するために、本発明の三分岐配管用の配管温度センサー取り付け部品は、空気調和機の熱交換器等を構成する配管の内、Ｕ字配管の側面に配管温度センサーを挟みながら固定する、断面が略Ｕ字型の配管温度センサー取り付け部品において、片側面に配管温度センサー挿入部と、反対側面の略中央に、三分岐配管の真中の管が挿通する開口部を設けたものである。
【０００８】
これによって、三分岐配管でも分岐管を構成する管と干渉せずに配管温度センサーを挟みながら固定することができる。
【発明の効果】
【０００９】
本発明の三分岐配管用の配管温度センサー取り付け部品は、三分岐配管でも配管温度セ
ンサーを挟みながら固定することができるので、配管温度センサーの取り付けが簡単で、手間が省ける。
【発明を実施するための最良の形態】
【００１０】
第１の発明の三分岐配管用の配管温度センサー取り付け部品は、空気調和機の熱交換器等を構成する配管の内、Ｕ字配管の側面に配管温度センサーを挟みながら固定する、断面が略Ｕ字型の配管温度センサー取り付け部品において、片側面に配管温度センサー挿入部と、反対側面の略中央に、三分岐配管の真中の1足用に開口部を設けたことを特徴したものである。これにより、反対側面に設けた三分岐配管の真中の1足用の開口部から、三分岐配管の真中の管が挿通するので、三分岐配管でも配管温度センサーを挟みながら固定することができる。
【００１１】
第２の発明は、特に、第１の発明の三分岐配管用の配管温度センサー取り付け部品を、配管温度センサー挿入部のある片側面と、反対側面は、外向きに湾曲した爪を設けたことを特徴としたものである。
【００１２】
これにより、配管温度センサー取り付け部品を三分岐配管に取り付ける場合、外開きに向かい合った爪がガイドになり、配管温度センサー取り付け部品が開くので、さらに取り付けがし易くなる。
【００１３】
第３の発明は、特に、第１〜２のいずれか１つの発明の三分岐配管用の配管温度センサー取り付け部品を、配管温度センサー挿入部の終端に、配管温度センサー脱落防止用の爪を設けたことを特徴としたものである。
【００１４】
これにより、三分岐配管に配管温度センサーを挟みながら固定した時、配管温度センサーが自重で抜け落ちようとしても、配管温度センサー脱落防止用の爪に引っかかるので、配管温度センサーの脱落が防止できる。
【００１５】
第４の発明は、特に、第１〜３のいずれか１つの発明の三分岐配管用の配管温度センサー取り付け部品を、反対側面の開口部の内側に、配管温度センサー取り付け部品の脱落防止用の爪を設けたことを特徴としたものである。
【００１６】
これにより、配管温度センサー取り付け部品を三分岐配管に取り付ける場合、配管温度センサー取り付け部品の脱落防止用の爪が、三分岐配管の円弧の内側に引っかかるので、配管温度センサー取り付け部品の脱落が防止できる。
【００１７】
第５の発明は、特に、第１〜４のいずれか１つの発明の三分岐配管用の配管温度センサー取り付け部品を、配管温度センサー取り付け部品は、弾性のある薄金属板で形成したことを特徴としたものである。
【００１８】
これにより、配管温度センサー取り付け部品を三分岐配管に取り付ける場合、ばね効果を利用できるので、より強固に三分岐配管に配管温度センサーを挟みながら固定することができる。
【００１９】
第６の発明は、特に、第１〜４のいずれか１つの発明の三分岐配管用の配管温度センサー取り付け部品を、配管温度センサー取り付け部品は、樹脂で形成したことを特徴としたものである。これにより、配管温度センサー取り付け部品を複雑な形状に成型し易くなり、いろいろな形状の三分岐配管や配管温度センサーに対応し易くなる。
【００２０】
以下、本発明の実施の形態について図面を参照しながら説明する。なお、この実施の形
態によって、本発明が限定されるものではない。
【００２１】
（実施の形態１）
図１は、本発明の第１の実施の形態における三分岐配管用の配管温度センサー取り付け部品の斜視図、図２は、配管温度センサー取り付け部品と配管温度センサーの位置関係を示す斜視図、図３は、配管温度センサー取り付け部品と配管温度センサーと三分岐配管用との位置関係を示す斜視図である。
【００２２】
図1、図２において、配管温度センサー取り付け部品９は、片側面１０に配管温度センサー挿入部１１と、反対側面１２を備えた、断面が略Ｕ字型の構造で、前記片側面１０と前記反対側面１２は、内側に少し押さえつけるような構造をしており、また、前記反対側面１２は、略中央で分割され、その間は、三分岐配管の真中の管が挿通する開口部１３となっている。
【００２３】
以上のように構成された配管温度センサー取り付け部品について、以下その動作、作用を説明する。
【００２４】
空気調和機の熱交換器等を構成する配管には、前記Ｕ字配管６ばかりでなく、前記Ｕ字配管６の真中に前記1足７が増えた前記三分岐配管８を使用することもある。
【００２５】
この前記三分岐配管８に前記配管温度センサー３を取り付けるには、まず、前記配管温度センサー挿入部１１に前記配管温度センサー３を図２のように挿入し、図３のように、前記片側面１０と前記反対側面１２を少し外に開き、前記三分岐配管８の側面に前記配管温度センサー３を挟みながら固定する。
【００２６】
この時、前記反対側面１２は、略中央で分割され、その間は、前記三分岐配管の真中の1足用の開口部１３が設けてあるため、前記前記三分岐配管の真中の1足用の開口部１３から前記三分岐配管８の真中の前記1足７が出るので、前記三分岐配管８でも前記配管温度センサー３を挟みながら固定することができる。
【００２７】
また、図３のように、前記片側面１０は、従来の前記Ｕ字配管６用の前記配管温度センサー取り付け部品１と同じ形状を保てるので、前記配管温度センサー３を前記三分岐配管８の側面に取り付けることで、前記配管温度センサー３と前記三分岐配管８との接触面積を多く確保でき、かつ、前記片側面１０と前記反対側面１２の内側に少し押さえる力で、より確実に密着させ、前記三分岐配管８の温度を確実に測定できる。
【００２８】
（実施の形態２）
図４は、本発明の第２の実施の形態における三分岐配管用の配管温度センサー取り付け部品の斜視図、図５は、配管温度センサー取り付け部品と配管温度センサーと三分岐配管用との位置関係を示す斜視図である。
【００２９】
図４、図５において、配管温度センサー取り付け部品１４は、前記実施の形態１の三分岐配管用の配管温度センサー取り付け部品９を、前記配管温度センサー挿入部１１のある片側面１５と、反対側面１６は、外向きに湾曲した爪１７を設けたものである。
【００３０】
以上のように構成された配管温度センサー取り付け部品について、以下その動作、作用を説明する。
【００３１】
前記配管温度センサー取り付け部品１４を、前記三分岐配管８の側面に前記配管温度センサー３を挟みながら固定する動作、作用は、前記実施の形態１と基本的に同じである。
【００３２】
しかし、前記配管温度センサー取り付け部品１４は、前記片側面１５と、前記反対側面１６は、外開きに向かい合うよう、前記爪１７が設けてあるため、前記配管温度センサー取り付け部品１４を前記三分岐配管８に取り付ける場合、外開きに向かい合った前記爪１７がガイドになり、前記配管温度センサー取り付け部品１４が容易に開くので、さらに取り付けがし易くなる。
【００３３】
（実施の形態３）
図６は、本発明の第３の実施の形態における三分岐配管用の配管温度センサー取り付け部品の斜視図、図７は、配管温度センサー取り付け部品と配管温度センサーの位置関係を示す斜視図である。
【００３４】
図６、図７において、配管温度センサー取り付け部品１８は、前記実施の形態１〜２いずれか１つの三分岐配管用の配管温度センサー取り付け部品９、１４を、配管温度センサー挿入部１９の終端に、配管温度センサー脱落防止用の爪２０を設けたものである。
【００３５】
以上のように構成された配管温度センサー取り付け部品について、以下その動作、作用を説明する。
【００３６】
前記三分岐配管８は、Ａ方向を水平方向、Ｂ方向を垂直方向にして使用することは少なく、傾いた状態で取り付けられることが多く、前記配管温度センサー取り付け部品１８の取り付けが緩い場合、前記配管温度センサー３が自重で抜け落ちる可能性がある。
【００３７】
しかし、前記配管温度センサー取り付け部品１８は、前記三分岐配管８の側面に前記配管温度センサー３を挟みながら固定する動作、作用は、前記実施の形態１〜２と基本的に同じであるが、前記配管温度センサー挿入部１９の終端に、前記配管温度センサー脱落防止用の爪２０が設けてある。
【００３８】
このため、前記配管温度センサー３が自重で抜け落ちようとしても、前記配管温度センサー脱落防止用の爪２０に引っかかるので、前記配管温度センサー３の脱落が防止できる。
【００３９】
ここで、前記三分岐配管８の取り付け状態に合わせ、前記配管温度センサー脱落防止用の爪２０が反対側の終端２１に付いていても良い。
【００４０】
（実施の形態４）
図８は、本発明の第４の実施の形態における三分岐配管用の配管温度センサー取り付け部品の斜視図、図９は、配管温度センサー取り付け部品と配管温度センサーと三分岐配管用との位置関係を示す平面図、図１０は、配管温度センサー取り付け部品と配管温度センサーと三分岐配管用との位置関係を示す斜視図である。
【００４１】
図８において、配管温度センサー取り付け部品２２は、前記実施の形態１〜３いずれか１つの三分岐配管用の配管温度センサー取り付け部品９、１４、１８を、反対側面２３の開口部の内側に、配管温度センサー取り付け部品の脱落防止用の爪２４を設けたものである。
【００４２】
以上のように構成された配管温度センサー取り付け部品について、以下その動作、作用を説明する。
【００４３】
前記配管温度センサー取り付け部品２２を、前記三分岐配管８の側面に前記配管温度セ
ンサー３を挟みながら固定する動作、作用は、前記実施の形態１〜３と基本的に同じである。
【００４４】
しかし、前記配管温度センサー取り付け部品２２は、前記三分岐配管８に取り付ける場合、前記配管温度センサー取り付け部品の脱落防止用の爪２４が、図９、あるいは図１０のように、前記三分岐配管８の円弧の内側２５に引っかかるので、前記配管温度センサー取り付け部品２２の脱落が防止できる。
【００４５】
（実施の形態５）
本発明の第５の実施の形態における三分岐配管用の配管温度センサー取り付け部品は、前記実施の形態１〜４いずれか１つの三分岐配管用の配管温度センサー取り付け部品９、１４、１８、２２を、弾性のある薄金属板で形成したものである。
【００４６】
前記配管温度センサー取り付け部品９、１４、１８、２２を、前記三分岐配管８の側面に前記配管温度センサー３を挟みながら固定する動作、作用は、前記実施の形態１〜４と基本的に同じである。
【００４７】
しかし、前記配管温度センサー取り付け部品９、１４、１８、２２を弾性のある薄金属板で形成することにより、前記三分岐配管８に取り付ける場合、薄金属板のばね効果を利用できるので、より強固に前記三分岐配管８に前記配管温度センサー３を挟みながら固定することができる。
【００４８】
（実施の形態６）
本発明の第６の実施の形態における三分岐配管用の配管温度センサー取り付け部品は、前記実施の形態１〜４いずれか１つの三分岐配管用の配管温度センサー取り付け部品９、１４、１８、２２を、樹脂で形成したものである。
【００４９】
前記配管温度センサー取り付け部品９、１４、１８、２２を、前記三分岐配管８の側面に前記配管温度センサー３を挟みながら固定する動作、作用は、前記実施の形態１〜４と基本的に同じである。
【００５０】
しかし、前記配管温度センサー取り付け部品９、１４、１８、２２を樹脂で形成することにより、前記配管温度センサー取り付け部品９、１４、１８、２２を複雑な形状に成型し易くなり、いろいろな形状の前記三分岐配管８や前記配管温度センサー３に対応し易くなる。
【００５１】
以上のように、本実施の形態においては、空気調和機の熱交換器等を構成する配管の内、前記Ｕ字配管６の側面に前記配管温度センサー３を挟みながら固定する、断面が略Ｕ字型の前記配管温度センサー取り付け部品９において、前記片側面１０に前記配管温度センサー挿入部１１と、前記反対側面１２の略中央に、前記三分岐配管の真中の1足用の開口部１３を設けたので、前記三分岐配管８でも、前記配管温度センサー３を挟みながら固定することができるので、前記配管温度センサー３の取り付けが簡単で、手間が省ける。
【産業上の利用可能性】
【００５２】
以上のように、本発明にかかる配管温度センサー取り付け部品は、空気調和機の熱交換器等を構成する配管の内、三分岐配管でも、配管温度センサーを挟みながら固定することを特徴としているので、空気調和機の熱交換器等を構成する配管ばかりでなく、他の三分岐配管への配管温度センサー取り付けにも適用できる。
【図面の簡単な説明】
【００５３】
【図１】本発明の実施の形態１における配管温度センサー取り付け部品の斜視図
【図２】本発明の実施の形態１における配管温度センサー取り付け部品と配管温度センサーの位置関係を示す斜視図
【図３】本発明の実施の形態１における配管温度センサー取り付け部品と配管温度センサーと三分岐配管用との位置関係を示す斜視図
【図４】本発明の実施の形態２における配管温度センサー取り付け部品の斜視図
【図５】本発明の実施の形態２における配管温度センサー取り付け部品と配管温度センサーと三分岐配管用との位置関係を示す斜視図
【図６】本発明の実施の形態３における配管温度センサー取り付け部品の斜視図
【図７】本発明の実施の形態３における配管温度センサー取り付け部品と配管温度センサーの位置関係を示す斜視図
【図８】本発明の実施の形態４における配管温度センサー取り付け部品の斜視図
【図９】本発明の実施の形態４における配管温度センサー取り付け部品と配管温度センサーと三分岐配管用との位置関係を示す平面図
【図１０】本発明の実施の形態４における配管温度センサー取り付け部品と配管温度センサーと三分岐配管用との位置関係を示す斜視図
【図１１】従来の配管温度センサー取り付け部品の斜視図
【図１２】従来の配管温度センサー取り付け部品と配管温度センサーの位置関係を示す斜視図
【図１３】Ｕ字配管の斜視図
【図１４】従来の配管温度センサー取り付け部品と配管温度センサーとＵ字配管との位置関係を示す斜視図
【図１５】三分岐配管の斜視図
【図１６】従来の配管温度センサー取り付け部品と配管温度センサーと三分岐配管用との位置関係を示す斜視図
【符号の説明】
【００５４】
９  配管温度センサー取り付け部品
１０  片側面
１１  配管温度センサー挿入部
１２  反対側面
１３  三分岐配管の真中の1足用の開口部
１４  配管温度センサー取り付け部品
１５  片側面
１６  反対側面
１７  爪
１８  配管温度センサー取り付け部品
１９  配管温度センサー挿入部
２０  配管温度センサー脱落防止用の爪
２２  配管温度センサー取り付け部品
２３  反対側面
２４  配管温度センサー取り付け部品の脱落防止用の爪
【図１】
2006200832.tif 000003
【図２】
2006200832.tif 000004
【図３】
2006200832.tif 000005
【図４】
2006200832.tif 000006
【図５】
2006200832.tif 000007
【図６】
2006200832.tif 000008
【図７】
2006200832.tif 000009
【図８】
2006200832.tif 000010
【図９】
2006200832.tif 000011
【図１０】
2006200832.tif 000012
【図１１】
2006200832.tif 000013
【図１２】
2006200832.tif 000014
【図１３】
2006200832.tif 000015
【図１４】
2006200832.tif 000016
【図１５】
2006200832.tif 000017
【図１６】
2006200832.tif 000018